(57)【要約】【課題】エスカレータマンホールの安全柵の囲みスペースを自由に変更可能な機械室収納タイプのエスカレータマンホール安全柵装置を提供する。【解決手段】エスカレータの乗降口付近の床下に配設された機械室の内壁から、引き出し可能に設置された第一、第二分割横桁支柱３ｂ，３ｃと、第一分割横桁支柱３ｂに屈折可能に節結合されたベルト支柱３ａとを用いて、エスカレータマンホール付近の床面に引き出した第一、第二分割横桁支柱３ｂ，３ｃを横設固定し、第一分割横桁支柱３ｂに対してベルト支柱３ａを立設固定する。そして、立設固定されたベルト支柱３ａ間をベルト体４ａで張架することで、安全柵を構成する。【選択図】　　　　図１
2004043107.tif 000002
【特許請求の範囲】
【請求項１】
エスカレータの乗降口付近の床下に配設された機械室を点検するために設けられたエスカレータマンホール安全柵装置であって、
前記機械室の内壁から前記エスカレータマンホール付近の床面に引き出し可能に前記内壁に沿って設置され、床面に引き出された際、床面に横設可能な複数の横桁支柱と、
前記横桁支柱が床面に横設された際、前記横桁支柱に対して、立設可能に前記横桁支柱の一端に節結合されたベルト支柱と、
前記ベルト支柱を立設する際に、前記横桁支柱に対して固定する固定具と、
を含み、
前記固定具で前記横桁支柱に固定され、立設した前記ベルト支柱間をベルト体で張架することで、安全柵を形成させることを特徴とするエスカレータマンホール安全柵装置。
【請求項２】
請求項１に記載のエスカレータマンホール安全柵装置であって、
前記内壁に沿って中空基柱が設置され、
前記中空基柱には、昇降可能に昇降支軸が挿設され、
前記昇降支軸の上端には、前記横桁支柱の一端が節結合され、
前記横桁支柱は、前記昇降支軸の上端を中心に回転自在かつ屈折可能であることを特徴とするエスカレータマンホール安全柵装置。
【請求項３】
請求項２に記載のエスカレータマンホール安全柵装置であって、
前記昇降支軸と前記横桁支柱との節結合は、ボールジョイント結合であることを特徴とするエスカレータマンホール安全柵装置。
【請求項４】
請求項１乃至３いずれか一つに記載のエスカレータマンホール安全柵装置であって、
前記横桁支柱は、複数の分割横桁支柱からなり、軸方向に伸縮かつ固定可能に連結されていることを特徴とするエスカレータマンホール安全柵装置。
【発明の詳細な説明】
【０００１】
【発明の属する技術分野】
本発明は、エスカレータの乗降口付近の床下に配設された機械室を点検するために設けられたエスカレータマンホール安全柵装置であって、特に、未使用時は、上記機械室に収められ、使用時に床面上に組み立てて、安全柵を形成させるエスカレータマンホール安全柵装置に関する。
【０００２】
【従来の技術】
従来より、エスカレータの乗降口付近の床下に配設された機械室を点検する際、乗降口付近のエスカレータマンホールが、開放される。この点検中に、開放されたエスカレータマンホールに人が転落するなどの危険を防止するために、エスカレータマンホールの周りには安全柵を設ける。この安全柵は、点検の際、保守点検作業者によって作業現場に運搬される。そして、作業現場にて、上記の安全柵を組立て、床面上に設置する。
【０００３】
このようにして、従来のエスカレータマンホール安全柵では、保守点検作業の度に、他の保管場所から安全柵を運搬して、作業場所に設置する。ところが、安全柵の持ち歩きや設置には不便であるため、その不便を解消すべく、例えば、特開平７−１０２７８９号公報には、その改良技術が開示されている。この公報に示された図を図１４に示す。
【０００４】
１はエスカレータの昇降口付近の床下に設けられた機械室の開口部であるエスカレータマンホール、１２はエスカレータマンホール１内の２隅に立設配置された中空基柱で、１３は中空基柱１２から引き出し可能に嵌挿された昇降支柱である。
【０００５】
１４は、昇降支柱１３を軸として回転する回動柵で、回動柵１４は昇降支柱１３の上端の支持体１６により昇降支柱１３に回転自在に取り付けられる。
【０００６】
また、回動柵１４は複数の柵体を蝶番１５で連結することにより折り畳み可能に構成されている。１７は止め金で、開かれた回動柵１４どうしを結びその状態を保持する。
【０００７】
上記のように構成されたエスカレータマンホール安全柵は、機械室内の中空基柱１２から昇降支柱１３と回動柵１４を引き出す。そして、回動柵１４を昇降支柱１３を軸として展開することによりエスカレータマンホール１を囲むように設置する。さらに、止め金１７で回動柵１４を安定させる。
【０００８】
このような状態で点検作業等を行うことにより、第三者がエスカレータマンホール１に近づき転落する事故を防止することができる。
【０００９】
作業終了後は、止め金１７をはずし回動柵１４を折り畳む。そして、中空基柱１２に昇降支柱１３を挿入する。この際、回動柵１４は、昇降支柱１３とともに機械室内に収納される。
【００１０】
【発明が解決しようとする課題】
従来の機械室内に収納されるタイプのエスカレータマンホール安全柵は、上記のように、左右の昇降支柱１３と止め金１７で囲まれた回動柵１４の部分は展開形状が安定している。しかし、両サイド部分の回動柵１４はエスカレータマンホール１側に押されると対抗して支える構成物がない。
【００１１】
したがって、両サイドの回動柵１４の外側から、エスカレータマンホール側へ押されると、回動柵１４は、折り畳んでしまい、安全柵の形状がくずれ、安全柵の囲みが不十分になる。
【００１２】
また、回動柵１４に囲まれた内側は、保守点検作業で使用する工具部品等を置いたり、機械室内への出入りに使用する作業スペースである。したがって、エスカレータマンホール全体を広く取り囲む形状であることが望ましい。
【００１３】
しかし、従来の機械室内に収納されるタイプのエスカレータマンホール安全柵では、柵の役割を果たす回動柵１４は、昇降支柱１３を軸として形成される。この昇降支軸１３は、エスカレータマンホールの隅に立設されている。したがって、昇降支軸１３が障害物となり、矩形上にエスカレータマンホールを囲めない。これにより、作業スペースとしての利便性が低下するという問題もある。
【００１４】
また、回動柵１４は、長さ調整ができないため、回動柵１４で囲まれるスペースは、定形である。したがって、作業現場によっては、エスカレータマンホール１の周辺の障害物により、回動柵１４を設置するスペースがなく、回動柵１４が利用できないこともある。
【００１５】
さらに、回動柵１４は、折り畳んだ状態でも、かさばるため収納スペースをかなり広く取る必要があり、安全柵を収納しない場合よりも余分に機械室のスペースを確保しなければならない。
【００１６】
本発明は、上記のような問題点を改善するためになされたもので、安全柵の外側からの圧力を受けても、安全柵の囲みがくずれないこと、エスカレータマンホールを広く取り囲めるようにすること、安全柵で囲むスペースや形状を臨機応変に変更できること、及び安全柵の収納スペースを従来の機械室収納型安全柵よりも狭くすることを目的とする。
【００１７】
【課題を解決するための手段】
前記課題は、次のようなエスカレータマンホール安全柵装置によって達成される。すなわち、本発明は、エスカレータの乗降口付近の床下に配設された機械室を点検するために設けられたエスカレータマンホール安全柵装置であって、前記機械室の内壁から前記エスカレータマンホール付近の床面に引き出し可能に前記内壁に沿って設置され、床面に引き出された際、床面に横設可能な複数の横桁支柱と、前記横桁支柱が床面に横設された際、前記横桁支柱に対して、立設可能に前記横桁支柱の一端に節結合されたベルト支柱とを含み、立設された前記ベルト支柱間をベルト体で張架することで、安全柵を形成させることを特徴とする。
【００１８】
このように構成されたエスカレータマンホール安全柵装置では、床面に横設された横桁支柱は、床面に対して固定される。また、横桁支柱に節結合されたベルト支柱も立設した際に固定される。したがって、安全柵の外側からの圧力が加わったとしても、ベルト支柱は、倒れたり、ズレたりしない。よって、安全柵の囲みがくずれることを防止することができる。
【００１９】
さらに、横桁支柱を利用することで、ベルト支柱をエスカレータマンホールの外側に立設することができる。したがって、エスカレータマンホールを矩形上に安全柵で囲むことができる。これにより、作業スペースや機械室内への出入りのスペースを広く確保することができる。
【００２０】
また、安全柵をベルト体で構成することで、収納時かさばらないため機械室内の収納スペースを大幅に削減することができる。
【００２１】
また、本発明は、前記機械室の内壁に沿って中空基柱が設置され、前記中空基柱には、昇降可能に昇降支軸が挿設され、前記昇降支軸の上端には、前記横桁支柱の一端が節結合され、前記横桁支柱は、前記昇降支軸の上端を中心に回転自在かつ屈折可能であることを特徴とする。そして、前記昇降支軸と前記横桁支柱との節結合は、ボールジョイント結合とすることもできる。さらに、前記横桁支柱は、複数の分割横桁支柱からなり、軸方向に伸縮かつ固定可能に連結されていることを特徴とする。
【００２２】
このように構成されたエスカレータマンホール安全柵装置によれば、横桁支柱は、軸方向に対して伸縮可能で、かつ、昇降支軸に対して回転自在である。よって、横桁支柱により固定されるベルト支柱の立設場所を臨機応変に変更できる。また、柵をベルト体で構成するため、ベルト支柱の位置によって長さや張る方向を臨機応変に変更することができる。したがって、エスカレータマンホールを矩形上に囲めることはもとより、エスカレータマンホール周辺の障害物等の作業現場の状況に合わせて、広さや形を調整することができる。
【００２３】
【発明の実施の形態】
以下、本発明の実施の形態（以下実施形態という）を、図面に従って説明する。
【００２４】
図１は、安全柵を展開配置した状態を示す斜視図の一例である。１は、エスカレータの昇降口付近の床面に配設された機械室の開口部としてのエスカレータマンホール、２は、機械室内の内壁に沿って設置された中空基柱で、３ｂ、３ｃは、中空基柱２から引き出し可能に嵌挿された第一、第二分割横桁支柱である。さらに、３ａは、第一分割横桁支柱３ｂに対して立設されたベルト支柱である。４ａは、ベルト支柱３ａの中に巻き取り収納されるベルト体である。そして、５は、本発明によりエスカレータの昇降口付近の床に安全柵で囲まれた点検作業用スペースである。
【００２５】
図２乃至図４は、安全柵のベルト支柱３ａと分割横桁支柱３ｂ，３ｃを機械室内の内壁に沿って設置された中空基柱２に収納した状態の平面図、立面図及び側面図である。２ａは、中空基柱の外筒で、２ｂは中空基柱外筒２ａの対抗する２面に縦にきられた縦溝である。そして、２ｃは、昇降支軸であり、中空基柱外筒２ａの縦溝２ｂの外でワッシャーで留められ、中空基柱外筒２ａ内を縦溝２ｂに沿って上下にスライドさせることができる。
【００２６】
図５乃至図７は、中空基柱２からベルト支柱３ａと分割横桁支柱３ｂ，３ｃを引き出して、設置固定された状態の平面図、側面図及び立面図である。
【００２７】
図７のように、昇降支軸２ｃの上端は球状で、第二分割横桁支柱３ｃとボールジョイント結合されている。球面押さえ３ｊとネジ３ｋとでボールジョイントの結合を行っている。
【００２８】
このように、昇降支軸２ｃと第二分割横桁支柱３ｃがボールジョイント結合されていることにより、第二分割横桁支柱３ｃは、昇降支軸２ｃの上端の球を中心に、回転自在かつ屈折可能である。
【００２９】
また、３ｄは蝶番であり、ベルト支柱３ａと第一分割横桁支柱３ｂを蝶着している。これにより、中空基柱に収める際には、ベルト支柱３ａを折り畳むことができ、コンパクトにすることができる。
【００３０】
図８は、ベルト支柱３ａと分割横桁支柱３ｂ，３ｃの斜視図で、図９は、その１−１’部の断面図で、図１０は、２−２’部の断面図である。
【００３１】
ベルト支柱３ａを立設固定するために、ベルト支柱には固定具３ｅが備えられている。この固定具３ｅは、コ字形の形状をしていて、一端の長片側には、固定具３ｅの短片側の端部を確実に第一分割横桁支柱に開いた固定穴３ｎに挿入するための引きバネ３ｍが備えられている。さらに長片側の端部は、ベルト支柱３ａから外れないように、ストッパーが固着されている。また、短片側の端部が固定穴３ｎより外れたときに、長片側を支点に回転自在になるように、固定具３ｅは取り付けられている。
【００３２】
３ｆは、第一分割横桁支柱３ｂと第二分割横桁支柱３ｃの滑り子固定具であり、滑り子３ｇと押しバネ３ｈと、第二分割横桁支柱３ｃに複数設けられた凹部３ｉから構成される。
【００３３】
なお、実施形態では、滑り子３ｇで、第一分割横桁支柱３ｂを固定するために、第二分割横桁支柱３ｃに複数の凹部を設けているが、滑り子の一部が嵌る程度の穴を第二分割横桁支柱３ｃに開けて固定してもよい。
【００３４】
また、実施形態では、横桁支柱を二つに分割しているが、必要に応じて分割数を増やしたり、分割をなくして横桁支柱の長さを不変として、シンプルな構造にすることもできる。さらに、実施形態では、第一、第二分割横桁支柱３ｂ、３ｃの固定には、滑り子を利用して行っているが、これも、伸縮可能でかつ固定が可能であれば、他の固定具を利用してもよい。
【００３５】
図１１は、ベルト支柱３ａに収納されるベルト体４ａの斜視図で、図１２乃至図１３はその平面図と立面図である。
【００３６】
ベルト体４ａは柵として機能し、４ｂは端末板でベルト体４ａの引き出し部先端にベルト幅に取り付けられている。４ｃは収納筒でベルト体４ａをベルト支柱３ａに収納する。４ｄは、コイルバネで収納筒４ｃから引き出されたベルト体４ａを収納筒４ｃ内に巻き取る作用を有する。４ｅは受け金で、隣のベルト支柱３ａから引き出されたベルト４ａの端末板４ｂを受け、ベルト支柱間に柵としてベルト体を張架する。
【００３７】
このように構成されたエスカレータマンホール安全柵装置では、床面に横設された分割横桁支柱３ｂ，３ｃは、床面に対して固定される。また、分割横桁支柱３ｂ，３ｃに節結合されたベルト支柱３ａも立設した際に固定される。したがって、安全柵の外側からの圧力が加わったとしても、ベルト支柱３ａは、倒れたり、ズレたりしない。よって、安全柵の囲みがくずれることを防止することができる。
【００３８】
さらに、分割横桁支柱３ｂ，３ｃを利用することで、ベルト支柱３ａをエスカレータマンホールの外側に立設することができる。これにより、エスカレータマンホールを矩形上に安全柵で囲むことができる。よって、作業スペースや機械室内への出入りのスペースを広く確保することができる。
【００３９】
また、安全柵をベルト体で構成し、収納時は、ベルト支柱３ａ内に巻き取られるため、機械室内の収納スペースを大幅に削減することができる。
【００４０】
さらに、分割横桁支柱３ｂ，３ｃは、軸方向に対して伸縮可能で、かつ、昇降支軸２ｂに対して回転自在である。よって、分割横桁支柱３ｂ，３ｃにより固定されるベルト支柱の立設場所を臨機応変に変更できる。また、柵をベルト体で構成するため、ベルト支柱の位置によって長さや張る方向を臨機応変に変更することができる。したがって、エスカレータマンホールを矩形上に囲めることはもとより、エスカレータマンホール周辺の障害物等の作業現場の状況に合わせて、広さや形を調整することができる。
【００４１】
つづいて、実施形態の動作について説明する。
【００４２】
エスカレータの点検作業を行うために、開放されたエスカレータマンホール１を囲むように実施形態による安全柵装置を展開するためには、まず、エスカレータマンホール１の４隅に立設配設された中空基柱２の中からそれぞれの第一、第二分割横桁支柱３ｂ，３ｃとベルト支柱３ａを引き出す。
【００４３】
この時、第二分割横桁支柱３ｂは昇降支軸２ｃにより中空基柱２の中空基柱外筒２ａの縦溝２ｂにガイドされ、縦溝２ｂの上端まで引き出される。昇降支軸２ｃと第二分割横桁支柱３ｃは、ボールジョイントされ、球面押さえ３ｊをほんの少し緩めておくことにより昇降支軸２ｃの上端の球状体が球面押さえ３ｊから外れることなく、回転自在に、かつ屈折可能に結合されている。
【００４４】
したがって、設置方向を自由に設定でき、かつ、床面状に横設して固定することができる。これにより、エスカレータマンホール周辺の障害物等の作業現場の状況に合わせて、横桁支柱の設置場所を決めることができる。
【００４５】
それぞれの第二分割横桁支柱３ｃを図１のような向きに横設し、位置が決まれば、球面押さえ３ｊのネジ３ｋを締め付け、中空基柱２に対して昇降支軸２ｃと球面押さえ３ｊにより第二分割横桁支柱３ｃを固定することができる。
【００４６】
その後、第一分割横桁支柱３ｂを引き出して、床面上で横設する長さを調整する。第一分割横桁支柱３ｂと第二分割横桁支柱３ｃは、第二分割横桁支柱３ｃの凹部３ｉに滑り子３ｇがはまる位置で安定的に固定することができる。この凹部３ｉは複数個設けられているため、希望する長さに見合った凹部３ｉを選択することで、長さ調整が可能である。
【００４７】
したがって、エスカレータマンホール周辺の障害物等の作業現場の状況に合わせて第一分割横桁支柱３ｂの端部に節結合されたベルト支柱３ａの立設位置を決めることができる。
【００４８】
ベルト支柱３ａは、蝶番３ｄにより第一分割横桁支柱３ｂと平行に折り畳み保持されているが、これを立設し、固定具３ｅの端部を第一分割横桁支柱３ｂの固定穴３ｎにはめ込むことで直立固定することができる。
【００４９】
これにより、安全柵の外側からの圧力が加わったとしても、ベルト支柱３ａは、倒れたり、ズレたりしない。よって、安全柵の囲みがくずれることを防止することができる。
【００５０】
柵としてのベルト体４ａを展開配置するには、柵の端に位置するベルト支柱３ａからベルト体４ａを引き出し端末板４ｂを隣のベルト支柱３ａの受け金４ｅにかけ、さらにそのベルト支柱３ａから同じようにベルト体４ａを引き出し端末板４ｂを隣のベルト支柱３ａの受け金４ｅに掛ける。これを繰り返すことで、エスカレータマンホール１を取り囲むように柵が配置され安全柵の配置が完了する。
【００５１】
このように、柵をベルト体で構成するため、ベルト支柱の位置によって長さや張る方向を臨機応変に変更することができる。したがって、エスカレータマンホールを矩形上に囲めることはもとより、エスカレータマンホール周辺の障害物等の作業現場の状況に合わせて、広さや形を調整することができる。
【００５２】
折り畳み収納する手順は、展開時と逆の順番で、ベルト支柱３ａの受け金４ｅからベルト体４ａの端末板４ｂをはずし、ベルト体４ａをもとのベルト支柱３ａに収納する。すべてのベルト体４ａを収納した後、ベルト支柱３ａの固定具３ｅの端部を第一分割横桁支柱３ｂの固定穴３ｎから引き出す。
【００５３】
これにより、ベルト支柱３ａと第一分割横桁支柱３ｂの固定は解除され、蝶番３ｄにより蝶設されたベルト支柱３ａは、折り畳まれ第一分割横桁支柱３ｂと平行になる。
【００５４】
さらに、第一分割横桁支柱３ｂ内に第二分割横桁支柱３ｃを押し込むように圧迫して、凹部３ｉから滑り子３ｇをはずし、第二分割横桁支柱３ｃを第二分割横桁支柱３ｂ内にスライド収納する。
【００５５】
次に第二分割横桁支柱３ｃの球面押さえ３ｊのネジ３ｋをほんの少し緩め、昇降支軸２ｃの上端の球状体から球面押さえ３ｊが外れず、かつ、回転自在の状態として、第二分割横桁支柱３ｃと昇降支軸２ｃの固定を解除する。
【００５６】
そして、床面上に横設された第一、第二分割横桁支柱３ｂ、３ｃと固定が解除され折り畳まれたベルト支柱３ａを中空基柱２内に収納する。この時、第一、第二分割横桁支柱３ｂ、３ｃとベルト支柱３ａは、昇降支軸２ｃにより中空基柱外筒２ａの縦溝２ｂにガイドされ縦溝２ｂ下端まで引き降ろされる。これにより、安全柵を機械室内に収納することができる。
【００５７】
このように、安全柵を構成するベルト体は、収納時にベルト支柱３ａ内に巻き取られるため、機械室内の収納スペースを大幅に削減することができる。
【００５８】
【発明の効果】
本発明のエスカレータマンホール安全柵装置によれば、床面に横設された横桁支柱は、床面に対して固定される。また、横桁支柱に節結合されたベルト支柱も立設した際に固定される。したがって、安全柵の外側からの圧力が加わったとしても、ベルト支柱は、倒れたり、ズレたりしない。よって、安全柵の囲みがくずれることを防止することができる。
【００５９】
さらに、横桁支柱を利用することで、ベルト支柱をエスカレータマンホールの外側に立設することができる。よって、エスカレータマンホールを矩形上に安全柵で囲むことができる。よって、作業スペースや機械室内への出入りのスペースを広く確保することができる。
【００６０】
また、安全柵をベルト体で構成することで、機械室内の収納スペースを大幅に削減することができる。
【００６１】
さらに、横桁支柱を軸方向に対して伸縮可能で、かつ、昇降支軸に対して回転自在にすることができる。よって、横桁支柱により固定されるベルト支柱の立設場所を臨機応変に変更できる。また、柵をベルト体で構成するため、ベルト支柱の位置によって長さや張る方向を臨機応変に変更することができる。したがって、エスカレータマンホールを矩形上に囲めることはもとより、エスカレータマンホール周辺の障害物等の作業現場の状況に合わせて、広さや形を調整することができる。
【図面の簡単な説明】
【図１】本発明の実施形態におけるエスカレータマンホール安全柵装置を展開配置した状態を示す斜視図である。
【図２】本発明の実施形態における安全柵のベルト支柱と分割横桁支柱を機械室内の内壁に沿って設置された中空基柱に収納した状態の平面図である。
【図３】本発明の実施形態における安全柵のベルト支柱と分割横桁支柱を機械室内の内壁に沿って設置された中空基柱に収納した状態の立面図である。
【図４】本発明の実施形態における安全柵のベルト支柱と分割横桁支柱を機械室内の内壁に沿って設置された中空基柱に収納した状態の側面図である。
【図５】本発明の実施形態における中空基柱からベルト支柱と分割横桁支柱を引き出して、設置固定された状態の平面図である。
【図６】本発明の実施形態における中空基柱からベルト支柱と分割横桁支柱を引き出して、設置固定された状態の側面図である。
【図７】本発明の実施形態における中空基柱からベルト支柱と分割横桁支柱を引き出して、設置固定された状態の立面図である。
【図８】ベルト支柱と分割横桁支柱の斜視図である。
【図９】図８における１−１’部の断面図である。
【図１０】図８における２−２’部の断面図である。
【図１１】本発明の実施形態におけるベルト支柱に収納されるベルト体の斜視図である。
【図１２】本発明の実施形態におけるベルト支柱に収納されるベルト体の平面図である。
【図１３】本発明の実施形態におけるベルト支柱に収納されるベルト体の立面図である。
【図１４】従来の機械室収納型のエスカレータマンホール安全柵の斜視図である。
【符号の説明】
１　エスカレータマンホール、２　中空基柱、２ａ　中空基柱外筒、２ｂ　縦溝、２ｃ　昇降支軸、３ａ　ベルト支柱、３ｂ　第一分割横桁支柱、３ｃ　第二分割横桁支柱、３ｅ　固定具、３ｆ　滑り子固定具、３ｇ　滑り子、３ｈ　押しバネ、３ｉ　凹部、３ｊ　球面押さえ、３ｋ　ネジ、３ｍ　引きバネ、３ｎ　固定穴。
【図１】
2004043107.tif 000003
【図２】
2004043107.tif 000004
【図３】
2004043107.tif 000005
【図４】
2004043107.tif 000006
【図５】
2004043107.tif 000007
【図６】
2004043107.tif 000008
【図７】
2004043107.tif 000009
【図８】
2004043107.tif 000010
【図９】
2004043107.tif 000011
【図１０】
2004043107.tif 000012
【図１１】
2004043107.tif 000013
【図１２】
2004043107.tif 000014
【図１３】
2004043107.tif 000015
【図１４】
2004043107.tif 000016